(57)【特許請求の範囲】
【請求項１】
複数のチャンネルを有して測定信号を記録するデータ収録装置又はテープレコーダの記録動作開始時刻が設定されかつ記録動作開始時刻に起動信号を生成する時計部と、該時計部からの起動信号が入力されて前記データ収録装置又はテープレコーダの記録動作を開始させる駆動部と、前記時計部からの起動信号が入力されて前記記録動作開始時刻から前記データ収録装置又はテープレコーダの動作が安定するまでの間の動作不安定時間の経過後にマーク信号を前記データ収録装置又はテープレコーダの所定チャンネルに送信するマーク信号発生部とを有するタイマ装置。
【発明の詳細な説明】
【０００１】
【産業上の利用分野】
この発明は、測定信号を記録するための記録装置に使用されるタイマ装置に関する。
【０００２】
【従来の技術】
データ収録装置やテープレコーダなどの記録装置の使用者は、定期的に測定信号を記録したいときがある。このために、記録装置の使用者は、この記録装置にタイマ装置を取り付けて、この記録装置の記録動作開始時刻や測定信号の記録時間をタイマ装置にセットする。これにより、測定信号は、自動的に、かつ定期的にその記録装置に記録される。
【０００３】
データ収録装置やテープレコーダ等の記録装置への記録が終了すると、使用者は、この記録装置をペンレコーダなどに接続し、この記録装置を再生動作させて、図６に示すような測定信号の波形を得ている。
【０００４】
すなわち、この従来のタイマ装置による場合、タイマ装置にセットされた記録動作開始時刻になると、記録装置が作動を開始し、測定信号の記録装置への記録が開始される。そして、測定信号の記録時間が経過するとその記録装置の作動が停止される。
【０００５】
このようにして測定信号が記録された記録装置は例えばペンレコーダに接続されて、測定信号が記録用紙に描かれる。その図６において、３１は記録用紙である。
【０００６】
この場合において、その記録用紙３１に測定信号としての波形が描かれているものとしたとき、符号Ｅで示す点は、一般的には記録装置の記録動作開始時刻に対応していると考えられる。というのは、記録装置を再生したとき、測定信号である再生信号が記録装置からペンレコーダに入力されると、記録用紙３１への描画に変化が生じるからである。この点Ｅを記録用紙３１への測定信号の記録開始点という。
【０００７】
また、符号Ｆで示す点は、一般的には記録時間経過後の記録動作終了時刻に対応していると考えられる。というのは、測定信号である再生信号が記録装置からペンレコーダに入力されなくなると、記録用紙３１への描画に変化が生じなくなるからである。この点Ｆを記録用紙３１への測定信号の記録終了点という。
【０００８】
従って、使用者は、記録動作開始時刻と記録動作終了時刻、あるいは、記録動作開始時刻と記録時間とがわかっていれば、記録用紙３１に描かれた波形から測定信号の任意の点Ｇ、Ｈの時刻を知ることができる。また、点Ｇから点Ｈまでの時間を知ることができる。というのは、例えば、点Ｅから点Ｆまでの記録用紙３１の長さは記録時間に対応しているから、点Ｇから点Ｈまでの記録用紙３１の長さを測定することにより点Ｇから点Ｈまでの時間を求めることができるからである。
【０００９】
【発明が解決しようとする課題】
ところが、テープレコーダ等の記録装置では、モータや各種の駆動機構を用いてテープ等の記録媒体を移送し、測定信号をこの記録媒体に記録するものであるから、この記録装置をタイマ装置により起動させると、モータの回転開始、各種の駆動機構の作動等の状態が安定するまでに時間がかかり、タイマ装置による記録動作開始時刻からモータや駆動機構が安定になるまでの間、記録を行うことができない不安定時間があり、この不安定時間は、モータや駆動機構に依存するので、一定ではない。しかし、この不安定時間は長い時間ではない。
【００１０】
従って、図６に示す記録用紙上において、記録装置の記録動作開始時刻に対応する点と点Ｅとは必ずしも対応しているとは限らず、不安定時間は記録装置によっても異なるので、使用者は、ペンレコーダの記録用紙上において記録装置の記録動作開始時刻に対応する点を特定することができない。このため、使用者は、測定信号についての正確な時間的情報を求めることができない。
【００１１】
この発明の目的は、ペンレコーダの記録用紙上等において記録装置の記録動作開始時刻に対応する点を正確に特定でき、測定信号についての正確な時間的情報を求めることのできるタイマ装置を提供することにある。
【００１２】
【課題を解決するための手段】
本発明に係わるタイマ装置は、上記課題を解決するため、複数のチャンネルを有して測定信号を記録するデータ収録装置又はテープレコーダの記録動作開始時刻が設定されかつ記録動作開始時刻に起動信号を生成する時計部と、該時計部からの起動信号が入力されて前記データ収録装置又はテープレコーダの記録動作を開始させる駆動部と、前記時計部からの起動信号が入力されて前記記録動作開始時刻から前記データ収録装置又はテープレコーダの動作が安定するまでの間の動作不安定時間の経過後にマーク信号を前記データ収録装置又はテープレコーダの所定チャンネルに送信するマーク信号発生部とを有することを特徴とする。
【００１３】
この発明によれば、タイマ装置にマーク信号発生部が設けられている。このマーク信号発生部は、データ収録装置又はテープレコーダの動作が安定するまでの間の動作不安定時間の経過後にマーク信号をデータ収録装置又はテープレコーダの所定チャンネルに送信する。この場合、記録装置の記録動作開始時刻から十分な所定時間が経過してからマーク信号が記録装置としてのデータ収録装置又はテープレコーダに記録されることになる。
【００１４】
一方、測定信号は記録動作開始時刻の少し後から記録動作終了時刻までの間に記録装置に記録される。
【００１５】
記録装置による測定信号の記録終了後、その記録装置は例えばペンレコーダに接続される。そして、記録装置を再生して、ペンレコーダにより記録用紙に測定信号を描画させるとき、測定信号と共にマーク信号が描画される。
【００１６】
マーク信号の描画開始点は、マーク信号による描画の変化が生じるときとして定義されるから、このマーク信号を用いて、ペンレコーダの記録用紙上において記録装置の記録動作開始時刻に対応する点を特定できる。
【００１７】
というのは、マーク信号の一周期に相当する記録用紙の長さから所定時間に対応する記録用紙の長さを求めることができ、マーク信号の描画開始点よりも所定長さ手前の点が記録動作開始時刻に対応する点となるからである。
【００１８】
また、記録用紙上での測定信号の記録開始点は、記録用紙上でのテープレコーダの記録動作開始点とマーク信号の一周期に相当する記録用紙の長さを用いて求めることができる。
【００１９】
このように、マーク信号と測定信号とを照らし合わせることにより、ペンレコーダの記録用紙上においてデータ収録装置又はテープレコーダの記録動作開始時刻に対応する点を特定でき、この記録動作開始時刻とマーク信号の周期とを用いて測定信号の各種の波形の発生時刻、終了時刻、波形の任意の点の時刻等の測定信号の時間的情報を求めることができる。
【００２０】
【実施例】
次に、この発明の実施例を、図面を用いて説明する。
【００２１】
［実施例１］
図１は、この発明の実施例１を示すブロック図である。このタイマ装置１０は、記録装置としての２チャンネルのテープレコーダ２０に用いられ、タイマ装置１０の端子１７はテープレコーダ２０のリモートコントロール端子ＲＣに接続されている。タイマ装置１０の端子１８はテープレコーダ２０のチャンネル端子Ｌに接続されている。
【００２２】
リモートコントロール端子ＲＣがハイレベルになると、テープレコーダ２０は、動作を開始し、モータ（図示を省略）の回転開始などによる不安定時間経過後に、チャンネル端子Ｒに加えられる測定信号ｄの記録を開始する。
【００２３】
このタイマ装置１０は、設定回路１１と、時計回路１２と、外部トリガ信号入力回路１３と、駆動回路１４と、マーク信号発生回路１５とを備えている。
【００２４】
タイマ装置１０の使用者は、設定回路１１を用いてテープレコーダ２０の動作条件を設定する。テープレコーダ２０の動作条件には、測定信号ｄについてテープレコーダ２０の記録動作開始時刻、記録時間、記録時間の間隔、記録回数等がある。また、設定回路１１により、時計回路１２の時刻設定もできる。
【００２５】
外部トリガ信号入力回路１３は、端子１６を経由して外部から外部トリガ信号ａが与えられると、時計回路１２と駆動回路１４とマーク信号発生回路１５とにこの外部トリガ信号を送信する。
【００２６】
時計回路１２は、水晶振動子１２Ａを用いて高精度で時刻を計数する。そして、設定回路１１に設定された動作条件に応じて、記録動作を起動するための起動信号または記録動作を停止するための停止信号を、内部トリガ信号として発生する。時計回路１２が起動用の内部トリガ信号を発生するのは、計数した時刻が設定回路１１に設定された記録動作開始時刻になったとき、設定回路１１に設定された記録時間の間隔により定められた時間が経過して、次の記録動作開始時刻になったときである。また、時計回路１２は、設定回路１１に設定された記録回数だけ起動用の内部トリガ信号を発生する。時計回路１２が、停止用の内部トリガ信号を発生するのは、設定回路１１に設定された記録時間の経過直後である。
【００２７】
また、時計回路１２は、動作条件として記録時間、記録時間の間隔、記録回数等が設定回路１１に設定されているときに、外部トリガ信号入力回路１３から外部トリガ信号が加えられると、この外部トリガ信号により、先に述べた起動用の内部トリガ信号と停止用の内部トリガ信号を発生する。
【００２８】
駆動回路１４は、時計回路１２から起動用の内部トリガ信号、または、外部トリガ信号入力回路１３から外部トリガ信号を受信すると、端子１７を直ちにハイレベルにし、このハイレベルの駆動信号をテープレコーダ２０のリモートコントロール端子ＲＣに送信する。また、駆動回路１４は、停止用の内部トリガ信号を受信すると、端子１７を再びローレベルにして、ローレベルの駆動信号をテープレコーダ２０に送信する。
【００２９】
マーク信号発生回路１５は、時計回路１２から起動用の内部トリガ信号を受信したときから所定時間経過後に、または、外部トリガ信号発生回路１３から外部トリガ信号を受信したときから所定時間経過後に、所定の周波数の正弦波信号を、ペンレコーダの記録用紙上において記録装置の記録動作開始時刻に対応する点を知るためのマーク信号ｃとして、端子１８を経由してテープレコーダ２０のＬチャネルに送信する。この所定時間は、マーク信号発生回路１５にあらかじめ設定され、テープレコーダ２０の不安定時間より長く設定されている。
【００３０】
次に、実施例１の動作を、図２の波形図を用いて説明する。
【００３１】
タイマ装置１０の使用者は、動作条件として設定回路１１に記録動作開始時刻ｔ１、記録時間Ｔ１、記録時間の間隔Ｔ２、記録回数を設定する。
【００３２】
これらの動作条件が設定されて、タイマ装置１０の時計回路１２は、計数する時刻がｔ１になると、起動用のトリガ信号を生成して、駆動回路１４とマーク信号発生回路１５とに送信する。
【００３３】
駆動回路１４は、起動用のトリガ信号を受信すると、直ちにハイレベルの駆動信号ｂをテープレコーダ２０に送信する。テープレコーダ２０は、駆動信号ｂを受信すると起動し、不安定時間Ｔ３の経過後に、チャンネルＲに測定信号ｄの記録を開始する。
【００３４】
一方、マーク信号発生回路１５は、時計回路１２から起動用のトリガ信号を受信すると、所定時間Ｔ４の経過後にマーク信号ｃをテープレコーダ２０に送信する。テープレコーダ２０は、チャンネルＬにマーク信号ｃの記録を開始する。
【００３５】
記録時間Ｔ１が経過すると、時計回路１２は、停止用のトリガ信号を駆動回路１４に送信する。これにより、駆動回路１４が駆動信号ｂをローレベルにし、テープレコーダ２０の作動が停止する。
【００３６】
これにより、最初の記録が終了する。
【００３７】
次に、記録時間Ｔ１の間隔Ｔ２が経過すると、時計回路１２は、再び起動用のトリガ信号を発生して、駆動回路１４とマーク信号発生回路１５とに送信する。
【００３８】
以下、同じようにして、テープレコーダ２０に駆動信号ｂとマーク信号ｃとが送信される。これにより、再度測定信号ｄの記録が行われる。
【００３９】
なお、ここでは、時計回路１２からの内部トリガ信号を用いたが、外部トリガ信号ａを用いる場合も同じである。例えば、測定信号ｄが発生した時に、外部トリガ信号ａが発生するようにすれば、この外部トリガ信号ａがタイマ装置１０に入力された後は、先に述べた動作と同じように動く。
【００４０】
テープレコーダ２０に記録が終了すると、使用者は、例えばペンレコーダを用いて、テープレコーダ２０に記録されているチャンネルＲの測定信号とチャンネルＬのマーク信号ｃとを、図３に示すように記録用紙３０に描く。
【００４１】
この記録用紙３０に描かれた測定信号の波形から、使用者は、ペンレコーダの記録用紙３０上においてテープレコーダ２０の記録動作開始時刻に対応する点、すなわち、記録動作開始点Ｂを次のようにして知ることができる。
【００４２】
この記録動作開始点Ｂは、設定回路１１に設定されたテープレコーダ２０の記録動作開始時刻ｔ１に対応する。
【００４３】
このため、記録用紙３０に描かれたマーク信号ｃの描画開始点Ａに対応する時刻は、設定回路１１に設定された記録動作開始時刻ｔ１にマーク信号ｃの所定時間Ｔ４を加えたものである。したがって、テープレコーダ２０の記録動作開始点Ｂは、描画開始点Ａからこの所定時間Ｔ４に相当する長さだけ、描画開始点Ａをさかのぼった箇所にある。この長さは、記録用紙３０に記録されているマーク信号ｃの周期などを用いて求められる。
【００４４】
次に、使用者は、記録動作開始点Ｂを基準にして、測定信号ｄの波形の発生する点Ｄの時刻を次のようにして求めることができる。使用者は、記録動作開始点Ｂから点Ｄまでの長さを求める。次にこの長さとマーク信号ｃの周期とを比較して、この長さに相当する時間を求め、この時間を記録動作開始点Ｂに対応する記録動作開始時刻ｔ１に加えれば、点Ｄの時刻を知ることができる。測定信号ｄの波形の他の時刻なども同じようにして求めることができる。
【００４５】
このように、使用者は、記録動作開始点Ｂを基準にして、測定信号ｄの波形の記録開始点の時刻、波形の任意の一点の時刻、波形の時間長さなどの、測定信号ｄの時刻や時間に係る情報、すなわち測定信号ｄの時間的情報を求めることができるので、テープレコーダ２０の動作が不安定な不安定時間の影響が除去され、測定信号ｄの時間的情報を正確に求めることができる。
【００４６】
この実施例１では、使用者は、記録動作開始点Ｂを基準にして、測定信号ｄの時間的情報を求めたが、この他にも、マーク信号ｃの描画開始点Ａを基準にしても、同じことができる。
【００４７】
また、実施例１では、マーク信号ｃの周期の他にマーク信号ｃの位相を用いて、波形の時間長さや時刻を知ることもできる。
【００４８】
また、実施例１では、２チャンネルのテープレコーダを用いたが、記録装置は、これに限定されず、例えば、多チャンネルのデータレコーダや、他の磁気記録式データ収録装置などでもよい。
【００４９】
また、実施例１では、時計回路１２は、設定回路１１に設定された記録動作開始時刻ｔ１になると起動用のトリガ信号を発生するが、トリガ信号の発生は、これに限定されず、例えば、設定回路１１に記録動作開始時間を設定し、現時点から設定された記録動作開始時間の経過後にトリガ信号を発生してもよい。
【００５０】
また、実施例１では、テープレコーダ２０としてリモートコントロール端子ＲＣが付属されているものを用いたが、用いられるテープレコーダはこれに限定されない。例えば、駆動回路１４は、時計回路１２から起動用および停止用のトリガ信号を受信すると、電源をオン・オフさせるものとし、テープレコーダの電源回路にこの駆動回路を接続すれば、リモートコントロール端子ＲＣの無いテープレコーダのオン・オフ駆動が可能になる。そのほかにも、用いられるテープレコーダに合わせて、駆動回路を変えることが可能である。
【００５１】
さらに、実施例１では、マーク信号発生回路１５は、所定周波数の正弦波信号をマーク信号ｃとして発生したが、例えば方形波や三角波等を用いても良い。
【００５２】
［実施例２］
図４は、この発明の実施例２を示す図である。
【００５３】
実施例１では、１つのタイマ装置１０に１つのテープレコーダ２０を用いたが、実施例２では、図４に示すように、１つのタイマ装置１０に、例えば３つのテープレコーダ２０，２０，２０が接続されている。そして、駆動信号ｂとマーク信号ｃとをテープレコーダ２０，２０，２０に分配すれば、測定信号と共にマーク信号の記録がそれぞれ可能である。
【００５４】
この実施例２によれば、１つのタイマ装置１０に同期して、３つのテープレコーダ２０が別の測定信号ｄ１，ｄ２，ｄ３を記録するので、同じ時刻に発生する多くの現象を記録できる。
【００５５】
［実施例３］
図５は、この発明の実施例３を示す図である。実施例３は、２つのテープレコーダ２０，２０を離れた場所で同期させるものである。すなわち、２組のタイマ装置１０とテープレコーダ２０とを用い、それぞれのタイマ装置１０，１０の時計回路１２，１２を同じ時刻にセットする。これにより、ケーブル等で装置を接続しなくても、テープレコーダ２０，２０は、同期しているのと同じ状態で、測定信号を記録できる。
【００５６】
この実施例３によれば、例えば雷や地震など、広範囲に影響を与える現象が発生したときに、この現象の影響を広範囲で調べるのに有効である。このとき、タイマ装置１０，１０を外部トリガ信号で動作するようにする。そして、雷により発生する電磁波や地震による搖れを検出して、トリガ信号を発生させれば、タイマ装置１０，１０が駆動信号ｂを同時に発生し、テープレコーダ２０，２０が動作して、測定信号ｄとマーク信号ｃとの記録が開始される。
【００５７】
この結果、テープレコーダ２０，２０は、互いに同期しているのと同じ状態で、広範囲に及ぶ測定信号を記録できる。
【００５８】
【発明の効果】
以上説明したように、この発明によれば、記録装置がその記録動作開始時に不安定であっても、ペンレコーダの記録用紙上等においてマーク信号と測定信号とを照らし合わせることにより、記録装置の記録動作開始時刻に対応する点を正確に特定でき、この記録動作開始点やマーク信号を基準にして、測定信号についての正確な時間的情報を求めることができる。
【図面の簡単な説明】
【図１】  この発明の一実施例を示すブロック図である。
【図２】  図１の実施例の波形図である。
【図３】  図１の実施例のテープレコーダに記録された記録信号およびマーク信号の波形図である。
【図４】  図１の実施例を用いた接続の他の例を示す図である。
【図５】  図１の実施例を用いた接続の更に他の例を示す図である。
【図６】  従来のタイマ装置を用いて描いた測定信号の図である。
【符号の説明】
１１  設定回路
１２  時計回路
１４  駆動回路
１５  マーク信号発生回路
２０  テープレコーダ
【図１】
0003748897.tif 000002
【図２】
0003748897.tif 000003
【図３】
0003748897.tif 000004
【図４】
0003748897.tif 000005
【図５】
0003748897.tif 000006
【図６】
0003748897.tif 000007